(57)【要約】【課題】万一、水が侵入したとしても水が抜けやすい負圧ポンプを提供することを課題とする。【解決手段】ロータを収納するロータ室の最下位置に臨むように、ポンプ・アウト孔６４がロータの軸に平行に設けられ、このポンプ・アウト孔６４の出口からロータの軸に直交する向きに下方へ向けてアウト溝６５が設けられ、このアウト溝６５の下端が排気室９７に繋がっている。【効果】ロータ室５１へ水が侵入しても、この水は残さずにポンプ・アウト孔６４及びアウト溝６５を介して排出される。【選択図】図１２
2010236503.tif 000002
【特許請求の範囲】
【請求項１】
ポンプ部の出口側に排気室を備え、この排気室を介して空気を外へ排出する負圧ポンプであって、
前記ポンプ部は、ロータを回転自在に収納するロータ室を有するケースと、空気を吸入するポンプ・イン孔を有し前記ロータ室の一方の開口を塞ぐ前蓋と、加圧した空気を吐出するポンプ・アウト孔を有し前記ロータ室の他方の開口を塞ぐ底蓋とを備えると共に前記排気室は前記ポンプ部の最下位置に設けられ、
前記ロータ室の最下位置に臨むように、ポンプ・アウト孔が前記ロータの軸に平行に設けられ、このポンプ・アウト孔の出口から前記ロータの軸に直交する向きに下方へ向けてアウト溝が設けられ、このアウト溝の下端が前記排気室に繋がっていることを特徴とする負圧ポンプ。
【請求項２】
請求項１記載の負圧ポンプにおいて、
前記排気室の底は高低差がでるように階段形状とされ、最も低位の下段部に、前記アウト溝の下端が対面していることを特徴とする負圧ポンプ。
【請求項３】
請求項２記載の負圧ポンプにおいて、
前記排気室の底に、空気を排出する複数の通孔が設けられており、複数の通孔は、前記底の下段部と上段部とに各々設けられていることを特徴とする負圧ポンプ。
【発明の詳細な説明】
【技術分野】
【０００１】
本発明は、負圧ポンプ、例えば車両に備えられる負圧ブースタの負圧室内を負圧にする負圧ポンプに関する。
【背景技術】
【０００２】
図１６は従来の倍力ブレーキ装置の原理図である。
基本的なブレーキ操作は、ブレーキペダル２００を踏むと、プッシュロッド２０１が押され、このプッシュロッド２０１でマスターシリンダ２０２を作動させ、ブレーキ油路２０３、２０３から高圧のブレーキ液を車輪ブレーキに供給することで行われる。一般的には操作者の操作力を軽減するために、倍力ブレーキ装置２１０が用いられる。
【０００３】
倍力ブレーキ装置２１０は、ダイヤフラム２１１とリターンばね２１２とを収納した負圧ブースタ２１３と、この負圧ブースタ２１３の負圧室２１４から延ばした負圧管２１５と、この負圧管２１５の先端に接続した負圧ポンプ２１６とからなる。この種の負圧ポンプ２１６として、自動車用電気エアポンプが提案されている（例えば、特許文献１参照。）。
【０００４】
負圧ポンプ２１６を作動させると、負圧管２１５、負圧室２１４内及び変圧室２１７内が負圧になっている。この状態でブレーキペダル２００を踏むと負圧室２１４と変圧室２１７とが遮断され、変圧室２１７に空気が導入され、負圧室２１４と変圧室２１７との差圧により、ダイヤフラム２１１がリターンばね２１２を圧縮させる側へ変形し、プッシュロッド２０１を押し出す。結果、小さな踏力で大きな制動力が得られる。
【０００５】
特許文献１の技術を次図で説明する。
図１７は従来の負圧ポンプの断面図であり、負圧ポンプ２１６では、モータ２１７でベーン付きロータ２１８を回すと、ポンプ入口部２１９が負圧になる。ポンプ入口部２１９を介して吸引された空気は、ベーン付きロータ２１８で加圧され、加圧された空気がカバー部２２０に溜められる。ここに溜められた空気は、ポンプ吐出口２２１から、大気へ放出される。
【０００６】
なお、特許文献１の図３（ＦＩＧ．３）は、負圧ポンプの分解斜視図であって、符号（１３）が、アウトレット開口であって、ポンプで加圧された空気は、このアウトレット開口（１３）から、キャップ（８）へ放出される。
アウトレット開口（１３）は、図１７の符号２２３に位置に設けられている。アウトレット開口を、ポンプ・アウト孔と読み替えると、ポンプ・アウト孔２２３は、ロータ２１８を回転自在に収納するロータ室の最下位置２２４より高い位置に設けられている。
しかも、ポンプ・アウト孔２２３は、ポンプ吐出口２２１から大きく離れた位置に設けられている。
【０００７】
ところで、雨中を走行する場合、車両に搭載している負圧ポンプ２１６の周囲の空気に多量の水分が含まれる。
雨中走行中にモータ２１７が停止した場合には、水分がカバー部２２０内やベーン付きロータ２１８へ侵入し、作動性が損なわれる虞がある。
【０００８】
そのため、万一、ロータ室へ水が侵入した場合には、この水を迅速に排出する必要がある。
しかし、特許文献１の負圧ポンプでは、ポンプ・アウト孔２２３が、ロータ室の最下位置２２４より高い位置に設けられているため、排水が不十分となる。
しかも、ポンプ・アウト孔２２３が、ポンプ吐出口２２１から大きく離れた位置に設けられているため、迅速な排水性は望めない。
【先行技術文献】
【特許文献】
【０００９】
【特許文献１】米国特許第６４９１５０５号明細書
【発明の概要】
【発明が解決しようとする課題】
【００１０】
本発明は、万一、水が侵入したとしても水が抜けやすい負圧ポンプを提供することを課題とする。
【課題を解決するための手段】
【００１１】
請求項１に係る発明は、ポンプ部の出口側に排気室を備え、この排気室を介して空気を外へ排出する負圧ポンプであって、
前記ポンプ部は、ロータを回転自在に収納するロータ室を有するケースと、空気を吸入するポンプ・イン孔を有し前記ロータ室の一方の開口を塞ぐ前蓋と、加圧した空気を吐出するポンプ・アウト孔を有し前記ロータ室の他方の開口を塞ぐ底蓋とを備えると共に前記排気室は前記ポンプ部の最下位置に設けられ、
前記ロータ室の最下位置に臨むように、ポンプ・アウト孔が前記ロータの軸に平行に設けられ、このポンプ・アウト孔の出口から前記ロータの軸に直交する向きに下方へ向けてアウト溝が設けられ、このアウト溝の下端が前記排気室に繋がっていることを特徴とする。
【００１２】
請求項２に係る発明は、排気室の底は高低差がでるように階段形状とされ、最も低位の下段部に、前記アウト溝の下端が対面していることを特徴とする。
【００１３】
請求項３に係る発明では、排気室の底に、空気を排出する複数の通孔が設けられており、複数の通孔は、前記底の下段部と上段部とに各々設けられていることを特徴とする。
【発明の効果】
【００１４】
請求項１に係る発明では、ポンプ・アウト孔が、ロータ室の最下位置に配置され、このようなポンプ・アウト孔の出口からアウト溝が下方へ向けて延ばされている。
万一、ロータ室へ水が侵入しても、この水は残さずにポンプ・アウト孔及びアウト溝を介して排出される。
したがって、本発明によれば、万一、水が侵入したときに水が抜けやすい負圧ポンプを提供することができる。
【００１５】
請求項２に係る発明では、排気室の底は高低差がでるように階段形状とされ、最も低位の下段部に、アウト溝の下端が対面している。
排出された水は、排気室の底の下段部に集められる。下段部に通孔を設ければ、溜まり水を効率よく排出することができる。
【００１６】
請求項３に係る発明では、複数の通孔が、下段部と上段部とに各々設けられている。万一、下段部に設けた通孔が水で塞がれても、上段部に設けた通孔で排気を継続させることができる。
【図面の簡単な説明】
【００１７】
【図１】本発明に係る負圧ポンプの配置例を示す図である。
【図２】負圧ポンプの分解斜視図である。
【図３】ポンプ部の分解斜視図である。
【図４】負圧ポンプの外観図である。
【図５】排気室リッドを説明する図である。
【図６】第２排気室の構造を説明する図である。
【図７】負圧ポンプの要部断面図である。
【図８】図７の８−８線断面図である。
【図９】モータ軸の拡大断面図である。
【図１０】ボルト穴の配列を説明する図である。
【図１１】図８の１１−１１線断面図である。
【図１２】図７の要部拡大図である。
【図１３】逆止弁の構造及び作用を説明する図である。
【図１４】モータ停止時の作用を説明する図である。
【図１５】最終排気口が複数であることの作用説明図である。
【図１６】従来の倍力ブレーキ装置の原理図である。
【図１７】従来の負圧ポンプの断面図である。
【発明を実施するための形態】
【００１８】
本発明の実施の形態を添付図に基づいて以下に説明する。本発明の負圧ポンプは、車両用負圧ブースタ用に好適であるが、用途は任意である。
【実施例】
【００１９】
本発明の実施例を図面に基づいて説明する。
図１に示されるように、本発明の負圧ポンプ１０は、車両に備えられる負圧ブースタ１１の負圧室１２内を、負圧にする真空ポンプの一種である。
負圧ポンプ１０を作動させると、負圧管１３、負圧室１２内及び変圧室１９内が負圧になっている。この状態でブレーキペダル２０を踏むと負圧室１２と変圧室１９とが遮断され、変圧室１９に空気が導入され、負圧室１２と変圧室１９との差圧により、ダイヤフラム１４がリターンばね１５を圧縮させる側へ変形し、プッシュロッド１６を押し出す。結果、小さな踏力で大きな制動力が得られる。負圧ポンプ１０は、車両の側のブラケット１７にボルト１８で固定される。
【００２０】
負圧ポンプ１０の構造を以下に詳しく述べる。
図２に示されるように、負圧ポンプ１０は、モータ軸２１がインボリュートスプライン軸であるモータ２２と、このモータ２２をビス２３、２３で取付けることができるねじ穴２４、２４を有するベースプレート２５と、このベースプレート２５の表面に設けられている第１雌ねじ穴２６、２６及び第２雌ねじ穴２７、２７に、合計４本の長いボルト２８をねじ込むことで取付けられるポンプ部５０と、このポンプ部５０を覆うと共に、ベースプレート２５の表面に設けられている第３雌ねじ穴２９（合計４個）にビス７１をねじ込むことで取付けられるカバー部７０と、このカバー部７０の入口部７２に着脱可能に挿入される逆止弁１００、フィルタ３５及び接続部（接続部品）４０と、からなる。
【００２１】
ベースプレート２５は、モータ２２などをマウントするため及び車体に接続するための基盤であって、厚くて、剛性に富む金属製とすることが望まれる。
一方、カバー部７０は、樹脂成形品とすることができる。樹脂成形品であれば、構造が複雑な排気室（詳細後述）を容易に製造することができる。
【００２２】
ベースプレート２５は、車両に固定できるように、ねじ座３１、３１を一体的に備え、中央に、モータ２２の円柱状のボス３２が嵌合できるように、丸穴３３が設けられている。
【００２３】
また、第１雌ねじ穴２６は、第２雌ねじ穴２７より一回り大径であって、位置決め中空ピン３４、３４を挿入することができる。位置決め中空ピン３４の作用は後述する。
フィルタ３５は、網部３６の縁をリング部３７で囲ってなる平板形状のものである。
【００２４】
接続部４０は、負圧管（図１、符号１３）が接続される接続部材であり、ビス４１でカバー部７０に脱着可能に固定することができ、この例ではホース差込部４２を有する。
【００２５】
図３はポンプ部５０の分解斜視図であり、ポンプ部５０は、非円断面のロータ室５１が設けられ、複数（この例では４個）のボルト穴５２、５３（ただし、ボルト穴５２は位置決め中空ピンに対応する穴径であるため、ボルト穴５３より大径である。）が設けられているケース５４と、複数のベーン溝５５が放射状に設けられ、中心にインボリュートスプライン穴５６が設けられ、非円断面のロータ室５１に回転自在に収納されるロータ５７と、複数のベーン溝５５に各々移動自在に収納されるベーン５８と、複数のボルト穴５９、５９が設けられ、２個のポンプ・イン孔６０、６０が設けられている前蓋６１と、複数のボルト穴６２、６３（ボルト穴６２は、位置決め中空ピンに対応する穴径であるため、ボルト穴６３より大径である。）が設けられ、２個のポンプ・アウト孔６４、６４が設けられ、ポンプ・アウト孔６４から径外方へアウト溝６５が設けられている底蓋６６と、ケース５４にロータ５７及びベーン５８を収納し、前後を前蓋６１及び底蓋６６で塞いだ状態で、ボルト穴５９、５２（又は５３）、６２（又は６３）に通される複数（この例では４本）の長いボルト２８とからなる。
【００２６】
図３及び図２に基づいて、組立てられた負圧ポンプ１０の外観は、図４に示す通りであり、ベースプレート２５に、ビス２３でモータ２２が取付けられ、このモータ２２へ給電する中間コネクタ１３０がビス１３１で取付けられると共に、ビス７１でカバー部７０が取付けられている。
カバー部７０の一部が図左下へ筒形（この例では角筒形状）の排気室壁７３が延ばされて、この排気室壁７３の先端が排気室リッド７４で閉じられている。
【００２７】
排気室リッド７４は、図５に示されるように、矩形で、且つ中央にカバー部７０側へ窪ませた球面部７５を有するリッド本体７６と、このリッド本体７６の縁からカバー部７０側へ延ばした挿入片７７（挿入片７７の数は４個である。）と、挿入片７７の各々に設けた爪７８とからなる。隣り合う挿入片７７と挿入片７７との間は、繋がっておらずに、この隙間７９が排気通路の一部となる。排気室リッド７４は、形状が複雑であるので、金属よりは樹脂が好適である。樹脂成形品であれば、軽量で複雑な形状にすることができる。
【００２８】
一方、排気室壁７３の先端に、コ字断面の最終排気口８１（この例では４個）が形成され、排気室壁７３の内面に複数（例えば６個）の係合部８２が設けられている。これらの係合部８２に爪７８が係合することで、排気室リッド７４が排気室壁７３に固定される。原則として、排気室リッド７４は、外すことができない。コ字断面の最終排気口８１は、排気室リッド７４を取付けた後は、四方形（矩形）の排気口になる。
【００２９】
排気室壁７３内には、排気室リッド７４側へ突出する環状凸部８４が設けられ、この環状凸部８４を貫通して１個の第１通孔８５が設けられ、環状凸部８４の内側に第２通孔８６、８６及び第３通孔８７設けられている。
排気室９０（図７）は、仕切部８８によって複数の排気室、実施例では第１排気室９７と第２排気室９８に区画され、ロータ室５１側から第１排気室９７と第２排気室９８が直列に配置されている。
【００３０】
これらの通孔８５〜８７は、仕切部８８に貫通形成されており、後に説明するが、仕切部８８の奥に第１排気室９７があり、仕切部８８の手前に、後述する最終排気口８１にて外部へ排気する第２排気室９８があり、これらの２つの排気室を連通する役割を果たす。
そして、仕切部８８には、環状凸部８４の外側に障壁８９（４個）が立てられている。
【００３１】
この障壁８９の作用を、図６に基づいて説明する。
排気室壁７３内に、４個の通孔８５、８６、８６、８７が設けられ、排気時に排出流体（空気）が図面奥から手前に流される。排出流体は、矢印（１）や矢印（２）のルートを通って最終排気口８１から排出される。
【００３２】
一方、最終排気口８１は、大気に開放されているために、外から水が排気室壁７３内に侵入する可能性はある。その場合、侵入水は、先ず矢印（３）のように挿入片７７に衝突する。そののち、９０°方向を変え、矢印（４）のように障壁８９の端部と挿入片７７との間の隙間９１を通る。または、侵入水の一部は、矢印（５）のように障壁８９の外面と挿入片７７との間の隙間９２を通る。このように、第２排気室９８内をラビリンス形状とすることにより第１排気室９７への水分の侵入を防いでいる。
【００３３】
次に、図４に示した負圧ポンプの要部の断面構造を説明する。
図７に示すように、モータ２２のフランジ９３とベースプレート２５との間はＯリングなどのシール材９４によりシールされている。同様に、カバー部７０とベースプレート２５との間もシール材９５によりシールされている。また、カバー部７０と前蓋６１との間がシール材９６によりシールされている。
【００３４】
モータ２２は、円柱状のボス３２が丸穴３３に嵌合することで、ベースプレート２５に対して正確に位置決めされる。すなわち、丸穴３３の中心に、モータ軸２１の中心が合致する。モータ軸２１は底蓋６６を貫通した後、ロータ５７に係合している。
このロータ５７を収納するケース５４の下方に第１排気室９７が設けられ、この第１排気室９７の下方に第２排気室９８が設けられている。
【００３５】
次に、接続部４０とフィルタ３５と逆止弁１００との取付け構造を説明する。
先ず、接続部４０は、カバー部７０の入口部７２に上から挿入することで取り外し可能に備えられ、逆止弁１００は、カバー部７０の入口部７２に収納した状態で、接続部４０で固定されている。なお、上下、前後は、図中に明示した矢印による。
そして、接続部４０と逆止弁１００で、フィルタ３５が挟まれている。
【００３６】
次に、ポンプ部５０の断面構造を、図７の８−８線断面図である図８に基づいて説明する。
モータ軸２１にロータ５７が取付けられ、このロータ５７にベーン５８が移動自在に取付けられ、このロータ５７をケース５４に収納し、このケース５４をカバー部７０で囲った形態が明示されている。そして、係合部８２に爪７８が係合することで、排気室壁７３の開口に排気室リッド７４が取外し不能に取付けられていることが分かる。
【００３７】
モータ軸２１とロータ５７との嵌合関係は、図９に示されるように、モータ軸２１が６条（図面表裏方向に延びている。）のインボリュート歯９９を有するインボリュートスプライン軸である。対応するインボリュートスプライン穴５６がロータ５７の中心に設けられている。
【００３８】
インボリュート歯９９は歯面が湾曲面であり、ロータ５７の中心をモータ軸２１の中心に合わせる作用（調心作用）を備えている。すなわち、回転中に、ロータ５７の中心がモータ軸２１の中心から、ずれたとしても、調心作用により、自動的にロータ５７の中心がモータ軸２１の中心に合わされる。このように中心が合致すると、心振れが無くなる。
【００３９】
ロータ５７のロータ室５１内での偏摩耗が無くなり、負圧ポンプ自身の耐久性が向上する。このとき、図２において、モータ２２をモータ軸２１を含めて予め組付けた後、ベースプレート２５と共にモータ軸２１をロータ５７に嵌合する。よって、モータ２２を組付けるだけで前記調心作用により、モータ軸２１とロータ５７との中心が合わされるので、組付けが容易になる。
【００４０】
ところで、図８において、４本のボルト２８の中心は、正方形又は長方形の頂点に配置されていない。この理由を次に説明する。
図１０（ａ）に示すように、ボルト穴５９ａ〜５９ｄ（位置を明確にするために、符号５９にａ〜ｄを添えた。）は、少なくとも１つ、実施例では２つのボルト穴５９ｂ、５９ｄが、位相をずらして配置されている。
【００４１】
仮に、前蓋６１が表裏を逆にしてケース５４に当てられた場合には、図１０（ｂ）に示すように全てのボルト穴５９ａ〜５９ｄがケース５４側のボルト穴５２、５３とずれてしまい、ボルトを差し込むことができない。前蓋６１を回転させても、ずれは解消しない。したがって、表裏を間違えるような誤組みを防止することができる。
【００４２】
また、前蓋６１が正規の方位に対して、右又は左に９０°回転した場合には、図１０（ｃ）に示すように、ボルト穴５９ａ〜５９ｄがケース５４側のボルト穴５２、５３とずれてしまい、ボルトを差し込むことができない。前蓋６１を回転させれば、ずれは解消できる。したがって、誤って９０°回転させてしまったような誤組みを防止することができる。
【００４３】
次に、図８に示す２本の位置決め中空ピン３４、３４の作用を、図８の１１−１１線断面図である図１１に基づいて説明する。
図１１に示すように、第１雌ねじ穴２６に、位置決め中空ピン３４を挿入する。次に、底蓋６６のボルト穴６２及びケース５４のボルト穴５２の下端を、位置決め中空ピン３４の上半部に嵌合する。次に前蓋６１をケース５４載せて、この状態で、ボルト２８を第１雌ねじ穴２６にねじ込む。
２本の位置決め中空ピン３４、３４は、図８に示すように、いわゆる対角に配置されているため、図８の紙面方向（モータ軸２１直角方向）での、ベースプレート２５に対するケース５４の位置決めが正確になされる。
【００４４】
次に、排気室の構造を、図７の要部拡大図である図１２に基づいて説明する。
図１２に示されるように、第１排気室９７の床を構成する仕切部８８の上面は、上段部８８ａと下段部８８ｂとからなる、階段形状とされている。そして、上段部８８ａに、第１排気室９７と第２排気室９８とを繋ぐ第１通孔８５が設けられ、下段部分８８ｂに、第１排気室９７と第２排気室９８とを繋ぐ第２通孔８６と第３通孔８７が設けられている。
【００４５】
そして、第１通孔８５と、第２通孔８６と、第３通孔８７は、上部開口のレベルが互いに異なる。すなわち第３通孔８７より第２通孔８６の方が、Δｈ１だけ高い。また、第１通孔８５は、第３通孔８７よりΔｈ２だけ高い（Δｈ１＜Δｈ２）。
加えて、底蓋６６に設けられているアウト溝６５は、底蓋６６の最下位位置に配置されている。
【００４６】
仮に、最終排気口８１から外の水が第２排気室９８へ侵入したとしても、第２排気室９８の上位に第１排気室９７があるため、第１排気室９７に浸水するまでは時間が稼げる。
また、水が第１排気室９７に侵入したとしても、先ず、第３通孔８７が塞がれるが、第１通孔８５及び第２通孔８６は開状態が保たれるため、負圧ポンプの排気性能が維持される。
さらに、水で第２通孔８６が塞がれたとしても、第１通孔８５は、開状態が保たれるため、負圧ポンプの排気性能が維持される。
【００４７】
また、負圧ポンプが停止した時に、負圧ポンプの下部が溜まり水に漬かることで、ケース５４の内部に水が侵入することがあっても、ケース５４の内部に侵入した水は、最下位位置に配置されているポンプ・アウト孔６４及びアウト溝６５を介して、迅速に排出される。この際、最終排気口８１が、侵入した水を排出するドレーンとしての機能を果たす。
【００４８】
次に、逆止弁１００の構造と作用を説明する。
図１３に示すように、逆止弁１００は、ニードル１０１を有する傘状の弁体１０２と、この弁体１０２が上昇して被さることで流路１０３を閉じる弁座部１０４と、この弁座部１０４を一体的に有し且つ弁体１０２を移動自在に収納する弁箱１０５とからなる。なお、弁箱１０５は、シール材１０６を備えた箱基部１０７と、通孔１０８を有し、弁体１０２を移動可能に収納し、箱基部１０７に嵌込まれるケース部１０９とで構成されている。
弁体１０２は、負圧ポンプの作動時においてリターンスプリング１０２ａにて閉弁方向に付勢される。
【００４９】
負圧ポンプの運転時に、ポンプ部５０の入口はホース差込部４２より低圧になる。この圧力差で、図１３に示されるように、リターンスプリング１０２ａの付勢力に抗して弁座部１０４から弁体１０２が離れ、逆止弁１００が開状態になる。すると、矢印（７）のように空気が吸い込まれる。吸い込まれた空気は、フィルタ３５で濾過される。この空気は、矢印（８）のように通孔１０８を通るなどして、逆止弁１００を通過し、矢印（９）のようにポンプ・イン孔６０からポンプ部５０に入る。
【００５０】
ポンプ部５０で加圧され、矢印（１０）のように、ポンプ・アウト孔６４、アウト溝６５、第１排気室９７を介して第２排気室９８に至り、矢印（１１）のように、最終排気口８１、８１から外へ排出される。
【００５１】
次に、モータ２２が止まったとき（負圧ポンプ停止時）の状態を、図１４で説明する。
ここで、逆止弁１００とポンプ部５０との間の閉空間（ほぼ、前蓋６１の外面とカバー部７０の内面で囲われる空間に相当）を、吸入室１１０と呼ぶ。この吸入室１１０の容積をＶ１とする。
また、ポンプ部５０を便宜的に、二分し、前蓋６１側の容積をＶ２、底蓋６６側の容積をＶ３とする。更に、第１排気室９７の容積をＶ４、第２排気室９８の容積をＶ５とする。
【００５２】
モータ２２が止まると、図１４に示すように、逆止弁１００が閉じる。モータ２２が止まる直前の状態は、容積Ｖ１と容積Ｖ２の領域が負圧領域であり、容積Ｖ３〜Ｖ５の領域が正圧領域である。モータ２２が止まった瞬間にこのバランスが崩れる。
すなわち、容積Ｖ３〜Ｖ５の領域から、容積Ｖ１〜Ｖ２の領域へ空気の供給が行われ、全ての領域が大気圧に戻るように変化する。
【００５３】
本発明では、容積Ｖ１＜容積Ｖ５の関係が保たれるように、吸入室１１０と第２排気室９８の大きさを設定した。容積Ｖ２と容積Ｖ３は等しい。
モータ２２の停止に伴って、空気の移動が起こるが、（Ｖ１＋Ｖ２）＜（Ｖ３＋Ｖ５）であるため、容積Ｖ５に余剰が発生する。
【００５４】
結果、仮に、外の水分を含んだ空気が第２排気室９８へ逆流したとしても、第２排気室９８で余剰空気に混合するだけであり、水分を含んだ空気が、ポンプ室５０や吸込室１１０へ侵入する心配が無くなる。
【００５５】
次に、図６で説明したように、最終排気口８１が、４つの排気室壁７３で囲われた矩形断面の第２排気室９８の四隅の同一端面上に設けられている。４個の最終排気口８１を設けたことによる作用を、図１５で説明する。
図１５（ｂ）は、負圧ポンプ１０の正面図であり、この負圧ポンプ１０が矢印（２０）のように回転（ローリング）することがある。このときには、左側面図である図１５（ａ）に示す最終排気口８１Ｌ、８１Ｌ（Ｌは左を示す添え字。）が上昇する。このことによって、右側面図である図１５（ｃ）に示す最終排気口８１Ｒ、８１Ｒ（Ｒは右を示す添え字）から水分が排出されると共に、図１５（ａ）の最終排気口８１Ｌ、８１Ｌからは排気が継続される。
【００５６】
また、図１５（ａ）に示す矢印（２１）のように負圧ポンプ１０が回転することがある。このときには２個の最終排気口８１Ｌ、８１Ｌのうち、モータ２２に近い方の最終排気口８１Ｌが上位になり、ここから排気が継続されると共に他方の最終排気口から水分が排出される。
このように、４個の最終排気口８１を巧みに配置したことにより、負圧ポンプ１０が傾いても、排気が継続可能となる。
【００５７】
以上の説明した本発明は、次のようにまとめることができる。
本発明は、図１３に示すように、ポンプ部５０の出口側に排気室９７、９８を備え、この排気室９７、９８を介して空気を外へ排出する負圧ポンプであって、
図３に示すように、ポンプ部５０は、ロータ５７を回転自在に収納するロータ室５１を有するケース５４と、空気を吸入するポンプ・イン孔６０を有し前記ロータ室５１の一方の開口を塞ぐ前蓋６１と、加圧した空気を吐出するポンプ・アウト孔６４を有し前記ロータ室５１の他方の開口を塞ぐ底蓋６６とを備えると共に前記排気室９７、９８は前記ポンプ部５０の最下位置に設けられ、図１２に示すように、前記ロータ室５１の最下位置に臨むように、ポンプ・アウト孔６４がロータの軸に平行に設けられ、このポンプ・アウト孔６４の出口からロータの軸に直交する向きに下方へ向けてアウト溝６５が設けられ、このアウト溝６５の下端が排気室９７に繋がっていることを特徴とする。
【００５８】
この発明では、ポンプ・アウト６４孔が、ロータ室５１の最下位置に配置され、このようなポンプ・アウト孔６４の出口からアウト溝６５が下方へ向けて延ばされている。
万一、ロータ室５１へ水が侵入しても、この水は残さずにポンプ・アウト孔６４及びアウト溝６５を介して排出される。
したがって、本発明によれば、万一、水が侵入したときに水が抜けやすい負圧ポンプを提供することができる。
【００５９】
好ましくは、排気室９７の底は高低差がでるように階段形状とされ、最も低位の下段部８８ｂに、アウト溝６５の下端が対面するようにする。
排出された水は、排気室の底の下段部８８ｂに集められる。下段部８８ｂに通孔を設ければ、溜まり水を効率よく排出することができる。
【００６０】
好ましくは、排気室の底に、空気を排出する複数の通孔８５、８７が設けられており、複数の通孔８５、８７は、底の下段部８８ｂと上段部８８ａとに各々設けられる。
万一、下段部８８ｂに設けた通孔８７が水で塞がれても、上段部８８ａに設けた通孔８５で排気を継続させることができる。
【００６１】
尚、本実施例では、排気室は、第１排気室と第２排気室とで構成したが、１つ（１室）又は３つ（３室）以上であっても良い。
また、本実施例は、負圧ポンプとしてベーンポンプを説明したが、負圧ポンプはベーンポンプに限られるものではない。
さらに、本発明の負圧ポンプは、車両に備えられる負圧ブースタの負圧室内を、負圧にするための車両用の負圧ポンプに好適であるが、用途を格別に限定するものではなく、一般機械用、汎用機械用、一般設備用に適用することは差し支えない。
【産業上の利用可能性】
【００６２】
本発明の負圧ポンプは、車両に備えられる負圧ブースタの負圧室内を、負圧にするための車両用の負圧ポンプに好適である。
【符号の説明】
【００６３】
１０…負圧ポンプ、５０…ポンプ部、５１…ロータ室、５４…ケース、５７……ロータ、６０…ポンプ・イン孔、６１…前蓋、６４…ポンプ・アウト孔、６６…底蓋、８８ａ…上段部、８８ｂ…下段部、９７…第１排気室、９８…第２排気室。
【図１】
2010236503.tif 000003
【図２】
2010236503.tif 000004
【図３】
2010236503.tif 000005
【図４】
2010236503.tif 000006
【図５】
2010236503.tif 000007
【図６】
2010236503.tif 000008
【図７】
2010236503.tif 000009
【図８】
2010236503.tif 000010
【図９】
2010236503.tif 000011
【図１０】
2010236503.tif 000012
【図１１】
2010236503.tif 000013
【図１２】
2010236503.tif 000014
【図１３】
2010236503.tif 000015
【図１４】
2010236503.tif 000016
【図１５】
2010236503.tif 000017
【図１６】
2010236503.tif 000018
【図１７】
2010236503.tif 000019